(57)【要約】【課題】  自動販売機で証明書情報を発行することにより商品の販売促進を行えるようにした証明書発行システムおよび証明書情報を発行する自動販売機を提供する。【解決手段】  入出力部１２にＩＣカード等の可搬記憶媒体がかざされ、その可搬記憶媒体が記憶する識別情報が入力され、表示部１３から証明書発行モードが指定されると、電子決済制御部１０は、証明書発行モードにおける前記識別情報を認証制御部１９で認証し、その認証回数に応じた証明書情報の作成を証明書情報作成部１７に指示する。作成した証明書情報を入出力部１２にかざされた可搬記憶媒体に記録する。【選択図】図２
2009271629.tif 000002
【特許請求の範囲】
【請求項１】
自動販売機と、
前記自動販売機と通信回線を介して接続されるセンタ装置と
を具備し、
前記自動販売機は、
可搬記憶媒体に格納された電子マネーによって決済処理を行う電子決済手段と、
前記電子決済手段による決済処理の後、証明書発行モードへ移行する証明書発行モード移行手段と、
前記証明書発行モード移行手段による証明書発行モードへの移行後に、前記可搬記憶媒体に記録された認証情報を受け付ける受付手段と、
前記受付手段によって受け付けた認証情報を前記センタ装置に通知する通知手段と、
前記通知手段によって通知した認証情報の認証結果を前記センタ装置から受信し、該自動販売機の利用を証明する証明書情報を前記可搬記憶媒体に記録する記録手段と
を具備し、
前記センタ装置は、
前記通知手段により通知された前記認証情報を受信する認証情報受信手段と、
前記認証情報受信手段によって受信した認証情報を認証する認証手段と、
前記認証手段による認証結果を前記自動販売機に送信する送信手段と
を具備する証明書発行システム。
【請求項２】
前記認証手段は、
前記認証情報受信手段によって受信した認証情報が前記証明書発行モードの利用を許容する場合、当該認証情報の認証回数を累積計数する計数手段
を更に具備し、
前記送信手段は、
前記認証手段による認証結果とともに前記計数手段によって計数した認証回数を前記自動販売機に送信する請求項１記載の証明書発行システム。
【請求項３】
前記記録手段は、
前記センタ装置から受信した認証回数に対応した証明書情報を前記可搬記憶媒体に記録する請求項２記載の証明書発行システム。
【請求項４】
前記認証手段は、
前記計数手段によって累計計数された認証回数が初期値でない場合に、第１回目の認証からの経過期間を判定する経過期間判定手段と、
前記経過期間判定手段によって判定した経過期間が所定の有効期間を越えている場合は前記認証情報を非認証とする請求項２記載の証明書発行システム。
【請求項５】
可搬記憶媒体に格納された電子マネーによって決済処理を行う電子決済手段と、
前記電子決済手段による決済処理の後、証明書発行モードへ移行する証明書発行モード移行手段と、
前記証明書発行モード移行手段による証明書発行モードへの移行後に、前記可搬記憶媒体に記録された認証情報を認証する認証手段と、
前記認証手段の認証結果に基づいて、該自動販売機の利用を証明する証明書情報を前記可搬記憶媒体に記録する記録手段と
を具備する証明書発行機能付き自動販売機。
【発明の詳細な説明】
【技術分野】
【０００１】
本発明は、自動販売機における証明書発行技術に関する。
【背景技術】
【０００２】
対人販売を要しない自動販売機はその特徴からさまざまな場所に設置可能であって、その設置場所における利用者の嗜好や季節、土地柄、企業戦略等に合わせた商品を販売している。
【０００３】
自動販売機を設置する場所として、例えばオフィス街や繁華街などの街中や駅周辺、観光地等があり、その設置された場所に意味を持たせることができる。すなわち、観光地に設けられた自動販売機の場合、その自動販売機でのみ販売する商品の購入やその自動販売機が提供する機能の利用によりその観光地を訪れたことを表すことができる。
【０００４】
複数の観光地それぞれに自動販売機を設置しておき各観光地の自動販売機を利用することで、それらの観光地全てを訪れたことを表すこととなる。
【０００５】
特許文献１に開示する従来技術では、電子財布と示されるカードに証明書と呼ばれる情報を記録できるようにしている。この証明書は、証明書が記録されたカードが使用可能な状態で、決済処理を供給する供給側に登録されていることを示す情報である。
【０００６】
また、特許文献２では、商品購入に際してその商品情報をＩＣカードに書き込むようにし、このＩＣカードに書き込まれた商品情報をＩＣカード利用履歴確認装置に読み取らせ、商品情報の履歴を表示できるようにした従来技術が開示されている。
【特許文献１】ＷＯ９９／０９５０２
【特許文献２】特開２０００−２３１５９７号公報
【発明の開示】
【発明が解決しようとする課題】
【０００７】
このような従来技術では、ＩＣカード等の可搬記憶媒体に証明書として記録することができるが、その証明書はその記録される端末に応じた情報である。
【０００８】
そこで、本発明は、自動販売機で証明書情報を発行することにより商品の販売促進を行えるようにした証明書発行システムおよび証明書情報を発行する自動販売機を提供することを目的とする。
【課題を解決するための手段】
【０００９】
上記目的を達成するため、請求項１の発明は、自動販売機と、前記自動販売機と通信回線を介して接続されるセンタ装置とを具備し、前記自動販売機は、可搬記憶媒体に格納された電子マネーによって決済処理を行う電子決済手段と、前記電子決済手段による決済処理の後、証明書発行モードへ移行する証明書発行モード移行手段と、前記証明書発行モード移行手段による証明書発行モードへの移行後に、前記可搬記憶媒体に記録された認証情報を受け付ける受付手段と、前記受付手段によって受け付けた認証情報を前記センタ装置に通知する通知手段と、前記通知手段によって通知した認証情報の認証結果を前記センタ装置から受信し、該自動販売機の利用を証明する証明書情報を前記可搬記憶媒体に記録する記録手段とを具備し、前記センタ装置は、前記通知手段により通知された前記認証情報を受信する認証情報受信手段と、前記認証情報受信手段によって受信した認証情報を認証する認証手段と、前記認証手段による認証結果を前記自動販売機に送信する送信手段とを具備する。
【００１０】
また、請求項２の発明は、請求項１の発明において、前記認証手段は、前記認証情報受信手段によって受信した認証情報が前記証明書発行モードの利用を許容する場合、当該認証情報の認証回数を累積計数する計数手段を更に具備し、前記送信手段は、前記認証手段による認証結果とともに前記計数手段によって計数した認証回数を前記自動販売機に送信する。
【００１１】
また、請求項３の発明は、請求項２の発明において、前記記録手段は、前記センタ装置から受信した認証回数に対応した証明書情報を前記可搬記憶媒体に記録する。
【００１２】
また、請求項４の発明は、請求項２の発明において、前記認証手段は、前記計数手段によって累計計数された認証回数が初期値でない場合に、第１回目の認証からの経過期間を判定する経過期間判定手段と、前記経過期間判定手段によって判定した経過期間が所定の有効期間を越えている場合は前記認証情報を非認証とする。
【００１３】
また、請求項５の発明は、可搬記憶媒体に格納された電子マネーによって決済処理を行う電子決済手段と、前記電子決済手段による決済処理の後、証明書発行モードへ移行する証明書発行モード移行手段と、前記証明書発行モード移行手段による証明書発行モードへの移行後に、前記可搬記憶媒体に記録された認証情報を認証する認証手段と、前記認証手段の認証結果に基づいて、該自動販売機の利用を証明する証明書情報を前記可搬記憶媒体に記録する記録手段とを具備する。
【発明の効果】
【００１４】
本発明によれば、さまざまな場所に設置された自動販売機で当該自動販売機への到達を証明する証明書情報を可搬記憶媒体に記録できるようにしたので、自動販売機を利用することによる商品の販売促進につながるという効果を奏する。また、第１回目の証明書発行時に自動販売機で販売する商品の購入を前提したので自動販売機を用いた商品の売り上げ向上につながるという効果を奏する。
【発明を実施するための最良の形態】
【００１５】
以下、本発明に係わる証明書発行システムの一実施例を添付図面を参照して詳細に説明する。
【実施例】
【００１６】
図１は、本発明の実施の形態における証明書発行システムを適用して構成した証明書発行システムのシステム構成図の一例である。
【００１７】
図１において、この証明書発行システムは、１または複数の自動販売機（１１０−１、１１０−２、１１０−３、１１０−４、１１０−５）（以下、総称して「自動販売機１１０」という）と、当該自動販売機１１０と通信網を介して接続されたセンタ装置１２０とから構成される。
【００１８】
自動販売機１１０は、硬貨および紙幣の貨幣による金銭の支払いのほか、携帯端末やＩＣカードなどの可搬記憶媒体に格納された電子マネーによる金銭の支払いが可能である。
【００１９】
この可搬記憶媒体には、さらに可搬記憶媒体そのものを識別する「媒体識別情報」やその可搬記憶媒体を利用する利用者を識別する「利用者識別情報」を記憶しており、これらの情報を自動販売機１１０からセンタ装置１２０に送信することで、センタ装置１２０が可搬記憶媒体の利用を認証する。
【００２０】
このときのセンタ装置１２０における認証処理は、当該センタ装置１２０と通信回線で接続された認証サーバ（図示せず）で行うことも可能である。この認証結果を要求元の自動販売機１１０に送信する。
【００２１】
このようにして認証されると、自動販売機１１０では、利用を証明する証明書の情報（以下、「証明書情報」という）を発行する処理を行う。
【００２２】
このときの利用とは、自動販売機１１０が販売する商品の購入がなされたことのほか、自動販売機１１０に設けられたリーダライタで可搬記憶媒体に記憶された利用者識別情報や媒体識別情報の読み取りが行われることを示す。前者による自動販売機１１０の利用の場合には、商品の購入を証明する購入証明書情報を発行し、後者による自動販売機１１０の利用の場合には、利用者識別情報や媒体識別情報の読み取りを証明する証明書情報を発行する。
【００２３】
後者の場合に発行される証明書情報は、この証明書情報を発行する自動販売機１１０への到達による利用を証明する情報であって、図６および図７に示すような証明書情報を発行する。すなわち、証明書情報は、自動販売機１１０の利用方法に応じてさまざまな形式で構成することが可能であり、また、その利用用途もさまざまである。
【００２４】
利用用途として、例えば図１に示すように複数の自動販売機１１０が設けられた構成で各自動販売機１１０をチェックポイントと見立てて、複数のチェックポイントとなる自動販売機１１０での証明書情報の発行を受けることで、その自動販売機１１０が設けられた場所に到達したことを証明するという用途で用いることができる。
【００２５】
また、他の利用用途として、ある特定の場所（例えば、観光地や中継地）に設けられた自動販売機１１０で、その自動販売機１１０が設けられた場所を特徴付ける情報を含む証明書情報の発行を受けることで到達を証明するという用途でも用いることができる。
【００２６】
この自動販売機の詳細な構成を図２に示す。
【００２７】
図２において、自動販売機１１０は、電子決済部１００、紙幣処理部１０１、硬貨処理部１０２、制御部１０３、商品払出部１０４を具備して構成される。
【００２８】
紙幣処理部１０１および硬貨処理部１０２は、投入された紙幣および硬貨を認識して貨幣による決済を行う。紙幣処理部１０１、硬貨処理部１０２では、処理した貨幣の金額を制御部１０３へと通知し、制御部１０３では、紙幣処理部１０１、硬貨処理部１０２に投入された紙幣および硬貨の金額が販売する商品の金額以上であると判断される場合にその商品の払い出しを商品払出部１０４へと指示し、差額が生じる場合にはその差額を返金する。
【００２９】
商品払出部１０４では、制御部１０３からの商品の払い出し指示に基づき、指定された商品を搬出することによる払い出しを行う。
【００３０】
このときの制御部１０３は、自動販売機における主制御であって、商品の販売における全処理の制御を行う。
【００３１】
また、電子決済部１００は、制御部１０３から商品が販売されたことを示す販売完了通知を受信することで、紙幣処理部１０１や硬貨処理部１０２での貨幣による決済に代えて、可搬記憶媒体に格納された電子マネーによる電子決済の処理を行う。
【００３２】
この電子決済部１００は、電子決済制御部１０、情報処理部１１、入出力部１２、表示部１３、通信部１４、情報記憶部１５、タイマー部１６、証明書情報作成部１７、証明書情報記憶部１８、認証制御部１９を具備して構成される。
【００３３】
入出力部１２は、可搬記憶媒体から利用者識別情報や媒体識別情報を読み取るほか、可搬記憶媒体に格納された電子マネーの読出しおよび書き込みを行い、例えばリーダライタによって構成される。この入出力部１２に可搬記憶媒体がかざされる若しくは接触させると、その可搬記憶媒体に記憶された利用者識別情報や媒体識別情報を読み取る。
【００３４】
読み取ったこれらの情報は、情報処理部１１によって解析され、正常にこれらの情報が認識された場合にはその旨を電子決済制御部１０へと通知する。電子決済制御部１０では、情報処理部１１より解析された情報が通知されることにより証明書情報を発行可能な証明書発行モードに移行するかを利用者に判断させる図４（ａ）に示すような画面を表示部１３に表示させる。
【００３５】
この画面を用いて利用者によって証明書発行モードへの移行が指示されると、読み取った情報の認証要求を認証制御部１９へと行う。認証制御部１９では、入出力部１２で入力された（読み取った）利用者識別情報や媒体識別情報の認証をセンタ装置１２０に要求する。
【００３６】
センタ装置１２０で行われた認証処理の結果を受信した認証制御部１９は、電子決済制御部１０へ通知し、電子決済制御部１０では、認証ができた場合に証明書発行モードにおける処理を開始する。ちなみに、認証ができない場合には、図５（ａ）に示すような画面を表示して証明書発行モードを終了する。
【００３７】
認証できた場合における証明書発行モードでは、この認証処理の認証回数が初期値であるか否かを判断して、初期値である場合には、証明書情報の発行を行うにあたり、自動販売機１１０が販売する商品が購入されたかを判断する。
【００３８】
この商品の購入の判断は、所定の時間内に、紙幣処理部１０１や硬貨処理部１０２を用いた貨幣による決済が行われたことが制御部１０３から通知されているか、若しくは、電子決済が完了しているかを判断することにより行う。
【００３９】
商品が所定の時間内に購入されている場合には、証明書情報の発行が可能であると判断して証明書情報作成部１７へ証明書情報の作成を指示する。この証明書情報作成部１７では、証明書情報記憶部１８で記憶する証明書情報のフォーマットに所定の情報を付与して証明書情報を作成する。ちなみに、図６や図７に示す証明書情報の場合、証明書情報記憶部１８で記憶する証明書情報のフォーマットに日付情報や証明書情報を発行した時間の時間情報を付与する処理を行う。
【００４０】
さらに、この証明書情報作成部１７では、認証回数に応じた証明書情報を作成する。例えば、上記に示すような、自動販売機１１０をチェックポイントと見立てて複数のチェックポイントとなる自動販売機１１０での証明書情報の発行を受けるという利用用途の場合、全てのチェックポイントで証明書を受け、認証回数がその全チェックポイントとなる自動販売機１１０の数量である場合には最終証明書情報を作成し、また、その他の場合にはそのチェックポイントとなる自動販売機１１０に到達したことを示す証明書情報を作成する。
【００４１】
このようにして証明書情報が作成されると、電子決済制御部１０では、情報処理部１１を介して入出力部１２による可搬記憶媒体への出力（書込み）を行う。
【００４２】
ちなみに、商品が所定の時間内に購入されていない場合、証明書発行モードの利用の許容を取り消し、センタ装置１２０に認証の取消を通知する。このとき、センタ装置１２０は、その通知により認証を取り消し、計数した認証回数を１回分、減算する処理を行う。
【００４３】
図３は、本発明の実施の形態における証明書発行システムの詳細な処理の流れを示すフローチャートである。
【００４４】
図３において、携帯端末等の可搬記憶媒体がリーダライタにかざされることによって、その可搬記憶媒体から認証情報の読み取りが行われたかを判断する（３０１）。この認証情報は、可搬記憶媒体を利用する利用者を識別する利用者識別情報や当該可搬記憶媒体を識別する媒体識別情報であって、この情報により証明書の発行の可否や発行する証明書の種類を選択する処理を行う。
【００４５】
可搬記憶媒体から認証情報の読み取りが行われる（３０１でＹＥＳ）と、図４（ａ）に示すような画面を表示して証明書の発行を行う処理モードである証明書発行モードへ移行するかを利用者に問い合わせ、この図４（ａ）に示すような画面を用いた証明書発行モードが設定されたかを判断する（３０２）。
【００４６】
図４（ａ）は、[はい]ボタン４０１、[いいえ]ボタン４０２によって構成し、[はい]ボタン４０１が押下されることにより証明書発行モードへの移行する。また、[いいえ]ボタン４０２が押下されることにより証明書発行モードへは移行することなく商品を販売した通常の状態（「商品販売モード」ともいう）となる。
【００４７】
この図４（ａ）に示す画面で、[いいえ]ボタン４０２が押下された場合（３０２でＮＯ）は、証明書発行モードへは移行しないことから本フローチャートにおける処理を終了する。
【００４８】
なお、図４（ｂ）に示す画面は、商品を販売した後に図４（ａ）に示す画面が表示され、この図４（ａ）に示す画面で[はい]ボタン４０１が押下された場合に表示される画面であって、利用者に対して可搬記憶媒体をリーダライタにかざすことを指示する画面である。
【００４９】
それに対して、[はい]ボタン４０１が押下された場合（３０２でＹＥＳ）は、証明書発行モードへ移行する。この証明書発行モードとなると、続いて、証明書の発行を許可するか否かを判断するために可搬記憶媒体から読み取った認証情報の認証処理を行う（３０３）。この認証処理は、管理センターのセンタ装置にその認証情報を送信して、センタ装置によって行われた認証処理の結果を受信する。
【００５０】
このときの管理センターのセンタ装置によって行われる認証処理は、認証情報として含まれる利用者識別情報や媒体識別情報が正しいものであるかを判断する。この認証処理により認証できた場合には、センタ装置は、認証回数を計数して自動販売機に送信する。このとき、第１回目の認証から経過した期間が予め指定した有効期間を経過している場合にはその旨が通知される。
【００５１】
続いて、認証処理の結果、認証できたかを判断して（３０４）認証できたと判断できない場合（３０４でＮＯ）、すなわち、有効な利用者識別情報や媒体識別情報ではないほか有効期間を超過している場合には、認証できない旨および利用できない可搬記憶媒体であることを表示して（３１４）処理を終了する。このときの表示画面の一例を図５（ａ）に示す。
【００５２】
この図５（ａ）に示す画面は、認証した結果、利用できない可搬記憶媒体であることを示す画面であって、[発行取消]ボタン４０３を押下することにより証明書発行モードを終了する。
【００５３】
また、認証できた場合（３０４でＹＥＳ）には、今回の認証処理が行われる前の段階で認証回数が「０（ゼロ）」であるかを判断する（３０５）。この認証回数が「０（ゼロ）」であることは、つまり今回の認証処理が初めてであることを示す。
【００５４】
この認証回数が「０（ゼロ）」との判断には、センタ装置からの認証回数の情報によって判断するほか、可搬記憶媒体に記憶された認証回数がないことや当証明書発行モードの参加記録が可搬記憶媒体に記録されていないことでも判断してもよい。
【００５５】
この認証回数が「０（ゼロ）」であると判断した場合（３０５でＹＥＳ）には、続いて、商品を販売したかを判断する（３０６）。この判断処理では、この可搬記憶媒体に価値付けされた有価情報による決済によって商品を販売したかを判断するほか、硬貨や紙幣の貨幣によって販売した場合にはその販売から所定の時間内に、ステップ３０１で示す認証情報の読み取りを行ったかによって判断する。
【００５６】
このとき、商品を販売していないと判断する場合（３０６でＮＯ）、例えば利用者が商品の購入前に証明書発行モードを指定した場合には、商品の購入が当証明書発行モードにおける証明書の発行に必要な要件であることを示す画面を表示して（３０７）処理を終了する。
【００５７】
それに対して、商品を販売している場合（３０６でＹＥＳ）や認証回数が「０（ゼロ）」ではないと判断する場合（３０５でＮＯ）には、続いて以前に証明書を発行した自動販売機と同一であるかを判断する（３０８）。
【００５８】
なお、後者の場合は、以前に若しくは他の自動販売機によって証明書発行モードでの認証処理を行ったことがあることを示しており、例えば、可搬記憶媒体に記憶された認証回数が１回以上である場合や当証明書発行モードの参加記録が可搬記憶媒体に記録されている場合である。
【００５９】
以前に証明書を発行した自動販売機と同一であると判断する場合（３０８でＹＥＳ）には、以前に当自動販売機で証明書を発行していることを示す画面を表示して（３０９）処理を終了する。この場合、再度、証明書を発行するような構成にすることも可能である。
【００６０】
また、以前に証明書を発行した自動販売機と同一ではない場合や初めて証明書の発行を受ける場合（３０８でＮＯ）には、認証回数に応じた証明書情報を作成する（３１０）。この作成処理は、証明書フォーマットに証明書を発行する日時や獲得したポイント数等を記録する処理である。
【００６１】
このときの認証回数に応じた証明書情報とは、予め指定された認証回数以上を認証することによる最終の証明書情報（「最終証明書情報」という）や、この予め指定された認証回数未満である場合の最終証明書情報ではない証明書情報である。
【００６２】
このような証明書情報を作成すると、この証明書情報を携帯端末等の可搬記憶媒体に記録するために、記録媒体が認識できる状態にあるかを判断する（３１１）。認識できる状態である場合（３１１でＹＥＳ）には、作成した証明書情報（最終証明書情報若しくはこの最終証明書ではない証明書情報）をその可搬記憶媒体である携帯端末に登録する（３１３）。
【００６３】
それに対して、携帯端末等の可搬記憶媒体が認識できない場合（３１１でＮＯ）には、認識させることを利用者に指示する画面を表示して（３１２）認証できる状態となるのを待つ。
【００６４】
このようにして可搬記憶媒体に証明書情報が登録され、証明書が発行された状態となった場合において、その可搬記憶媒体が携帯端末ではなくＩＣカード等のその記憶された証明書情報を参照できない媒体である場合には図５（ｂ）に示すような画面を表示する。
【００６５】
この図５（ｂ）に示すような画面は、登録された証明書情報の印刷を指示する画面であって、[印刷]ボタン４０４を押下することによりその記録媒体に記録された証明書情報の印刷が行われる。
【００６６】
このときの可搬記憶媒体に記憶された証明書情報の例を図６および図７に示す。
【００６７】
図６（ａ）に示す証明書情報は、センタ装置に複数の自動販売機が接続された図１に示すような構成において、各自動販売機をチェックポイントとして見立てて行われるオリエンテーリングで使用される証明書の例を示している。
【００６８】
この図６（ａ）に示す証明書は、チェックポイントとなる自動販売機の到着時刻を表す[到着時刻]項目６０１、全チェックポイントとなる自動販売機のうち残りのチェックポイント数である[残チェックポイント]項目６０２、チェックポイントとなる全自動販売機の一覧とその到着時刻を表す[一覧]項目６０３、有効期限を表示する[有効期限]項目６０４により構成される。
【００６９】
このオリエンテーリングは、例えば「自動販売機Ａ」、「自動販売機Ｂ」、「自動販売機Ｃ」、「自動販売機Ｄ」の４箇所をチェックポイントとして見立てた自動販売機を巡るというものであって、まず、チェックポイントＡの「自動販売機Ａ」で初めての証明書が発行され、その発行された時間が「０９時０３分」であることを示す。
【００７０】
このチェックポイントＡの「自動販売機Ａ」では、図６（ａ）に示す証明書情報の証明書フォーマットとその証明書フォーマットのチェックポイントＡの到着時刻が示された証明書情報が可搬記憶媒体に記録される。
【００７１】
続いて、チェックポイントＢの「自動販売機Ｂ」では、チェックポイントＡの「自動販売機Ａ」で記録された証明書情報に、チェックポイントＢに到着した時刻を証明書情報として記録する。また、チェックポイントＣの「自動販売機Ｃ」においても同様に、チェックポイントＣに到着した時刻を証明書情報として記録する。
【００７２】
この図６（ａ）に示す証明書情報は、チェックポイントＣの「自動販売機Ｃ」で可搬記憶媒体に記録された状態を示している。
【００７３】
すなわち、[到着時刻]項目６０１として「１５時２０分」が記録され、[残チェックポイント]項目６０２として「１」が記録され、[一覧]項目６０３としてチェックポイントＣの到着時刻に[到着時刻]項目６０１で示された「１５時２０分」が記録され、[有効期限]項目６０４として「有効期限が２００９年０４月０１日」が記録されていることを示す。
【００７４】
同様に、図６（ｂ）に示す証明書情報は、ある観光地に設けられた自動販売機で観光記念となる証明書の例を示している。
【００７５】
この図６（ｂ）に示す証明書は、証明書の発行日付である[日付]項目６０５、観光場所の画像を示す[画像]項目６０６、観光場所の説明が行われた文書を示す[観光場所の説明文]項目６０７によって構成される。
【００７６】
この証明書は、自動販売機に可搬記憶媒体をかざした日付として[日付]項目６０５に「２００７年１０月１０日」として示されており、自動販売機に予め登録されているその観光場所を示す画像が[画像]項目６０６に付与されており、同じく予め登録されている観光場所の説明文が[観光場所の説明文]項目６０７に示されている。
【００７７】
図７（ａ）に示す証明書情報は、インターネット上のゲーム（図７（ａ）に示す例では「宝探しゲーム」）と連携してそのゲームを継続するために必要な情報を含む情報の例である。
【００７８】
この証明書情報は、[今回獲得ポイント]項目７０１、[合計獲得ポイント]項目７０２、[有効期限]項目７０３、[キーワード]項目７０４によって構成される。[今回獲得ポイント]項目７０１は、自動販売機の利用によるゲーム上で用いられるポイントの獲得状況を示し、[合計獲得ポイント]項目７０２は、獲得したポイントの合計を示し、[有効期限]項目７０３は、ポイント利用の有効期限を示し、[キーワード]項目７０４はゲームを継続するために必要な情報を示す。
【００７９】
この証明書情報の発行を受けることでインターネット上のゲームを利用する利用者は、ゲームを継続することができるようになる。
【００８０】
図７（ｂ）に示す証明書は、センタ装置に複数の自動販売機が接続された図１に示すような構成において、各自動販売機をスタンプラリーのチェックポイントとして見立てて、利用者が各チェックポイントを回ったことを示している情報である。
【００８１】
このチェックポイントとして見立てられた各自動販売機には、当該自動販売機が設けられた場所を示すポイント数が設定されている。
【００８２】
図７（ｂ）は、チェックポイントＡの自動販売機にはポイント数として「１ポイント」が設定され、チェックポイントＢの自動販売機にはポイント数として「１０ポイント」が設定され、チェックポイントＢの自動販売機にはポイント数として「１００ポイント」が設定され、チェックポイントＤの自動販売機にはポイント数として「１０００ポイント」が設定されている自動販売機を回ることにより発行された証明書を示している。
【００８３】
この各自動販売機に設定するポイント数は、他の自動販売機に設定されたポイント数と相対関係を有した設定であって、図７（ｂ）では、その一例として、ポイント数の桁数によって相対関係を設定した例を示している。
【００８４】
これにより全ての自動販売機を回り証明書の発行を受けると、予め指定された合計ポイント数（図７（ｂ）に示す例では「１１１１」ポイント）となることで全ての自動販売機によって証明書情報を受けたことが証明される。
【００８５】
この場合、上記に示す図３のフローチャートを用いた説明のように、以前に証明書を発行した自動販売機では再度、証明書情報の発行は行わずにその旨を表示するような構成とする。もちろん、再発行するような構成であってもよい。
【００８６】
このような証明書情報が自動販売機によって可搬記憶媒体に記憶される。
【００８７】
本発明は、上記し、且つ図面に示す実施例に限定することなく、その要旨を変更しない範囲内で適宜変形して実施できるものである。
【図面の簡単な説明】
【００８８】
【図１】本発明の実施の形態における証明書発行システムの構成を示す図。
【図２】本発明の実施の形態における証明書発行システムを適用して構成した証明書発行システムのシステム構成図。
【図３】本発明の実施の形態における証明書発行システムの詳細な処理の流れを示すフローチャート。
【図４】画面例を示す図。
【図５】画面例を示す図。
【図６】証明書情報の一例を示す図。
【図７】証明書情報の一例を示す図。
【符号の説明】
【００８９】
１０        電子決済制御部
１１        情報処理部
１２        入出力部
１３        表示部
１４        通信部
１５        情報記憶部
１６        タイマー部
１７        証明書情報作成部
１８        証明書情報記憶部
１９        認証制御部
１００      電子決済部
１０１      紙幣処理部
１０２      硬貨処理部
１０３      制御部
１０４      商品払出部
１１０      自動販売機
１２０      センタ装置
【図１】
2009271629.tif 000003
【図２】
2009271629.tif 000004
【図３】
2009271629.tif 000005
【図４】
2009271629.tif 000006
【図５】
2009271629.tif 000007
【図６】
2009271629.tif 000008
【図７】
2009271629.tif 000009